(57)【要約】【課題】  塵芥収集車の後部扉の上下開閉操作を容易にする扉ロック装置の提供。【解決手段】  塵芥投入箱３０の投入口３５に後部扉３６を閉塞位置と解放位置との間で上下に開閉するように設置し、後部扉３６を閉塞位置と解放位置のそれぞれで塵芥投入箱３０の両側壁部３１にロックするロック手段５０を配備すると共に、塵芥投入箱３０の側壁部３１にロック手段５０のロック状態を手動で解除するロック解除操作手段６０を、作業員の手の届く所望の高さ位置に設置する。【選択図】図１
2006206306.tif 000002
【特許請求の範囲】
【請求項１】
車両後部の塵芥投入箱に設けた塵芥の投入口に、当該投入口を塞ぐ閉塞位置と投入口から上方に移動して投入口を開口する解放位置との間で上下移動可能に後部扉を連接し、この後部扉と前記塵芥投入箱に、前記後部扉を上方に附勢するばね手段と、前記後部扉が前記閉塞位置および解放位置に移動すると互いに係合して後部扉を自動ロックする係合部材と被係合部材を有するロック手段を配備した塵芥収集車において、
前記塵芥投入箱の側壁部に、前記ロック手段をその係合部材と被係合部材の互いの係合を解除するロック解除位置へ、前記後部扉と塵芥投入箱相互間に配備した連結機構を介して手動で駆動させるロック解除操作手段を配備したことを特徴とする塵芥収集車の扉ロック装置。
【請求項２】
前記塵芥投入箱側壁部の略中間の高さ位置に前記ロック解除操作手段を配備したことを特徴とする請求項１に記載の塵芥収集車の扉ロック装置。
【請求項３】
前記ロック手段は、前記後部扉の両側端部にそれぞれに突出退入可能に配備した一対のロックピンと、前記塵芥投入箱の両側壁部にそれぞれに形成された、前記一対のロックピンが嵌入可能な一対のロック孔を有し、前記ロック解除操作手段で前記一対のロックピンをロック解除動作させることを特徴とする請求項１または２に記載の塵芥収集車の扉ロック装置。
【請求項４】
前記塵芥投入箱の投入口の両側辺に前記後部扉下端部の扉開閉時の上下移動をガイドするガイドレールを固定すると共に、前記一対のロックピンのそれぞれに、対応する前記ガイドレールにガイドされて後部扉下端部の上下移動方向を規制するガイドローラを、各ロックピンと同軸に装着したことを特徴とする請求項３に記載の塵芥収集車の扉ロック装置。
【請求項５】
前記ロック手段は、前記後部扉の両側端部にそれぞれに形成された一対のロック孔と、前記塵芥投入箱の両側壁部にそれぞれに突出退入可能に配備された、前記一対のロック孔に嵌入可能な一対のロックピンを有し、前記ロック解除操作手段で前記一対のロックピンをロック解除動作させることを特徴とする請求項１または２に記載の塵芥収集車の扉ロック装置。
【発明の詳細な説明】
【技術分野】
【０００１】
本発明は、塵芥収集車の塵芥投入箱に設置した上下開閉式後部扉のロック装置に関する。
【背景技術】
【０００２】
塵芥収集車は、車両フレームに塵芥収容箱を搭載し、この塵芥収容箱の後端開口部に、塵芥投入箱を上下方向に揺動可能に連接する（例えば、特許文献１参照）。塵芥投入箱は、その後面下部に開口した塵芥投入口と、この投入口を開閉自在に塞ぐ後部扉を有する。後部扉は、投入口を塞ぐ閉塞位置と、投入口から上方に移動して投入口を開口する解放位置の間で上下開閉動作する。後部扉と塵芥投入箱の相互間には、後部扉を閉塞位置と解放位置のそれぞれでロックする扉ロック装置が装備される。扉ロック装置を装備した塵芥収集車の従来例を、図８〜図１０を参照して説明する。
【０００３】
図８（Ａ）（Ｂ）は、車両フレーム１に搭載した塵芥収容箱３の後部を示す。塵芥収容箱３の後端開口部に、塵芥投入箱４が枢軸５を支点に上下方向に揺動可能に連接される。塵芥投入箱４の内部には、外部から投入された塵芥を圧縮して塵芥収容箱３に積み込む塵芥積込装置（図示せず）が配備される。地面６に立つ作業者が塵芥を塵芥投入箱４に投入する。なお、同図の符号２は車輪である。
【０００４】
塵芥投入箱４は、図９および図１０に示す両側壁部１１と、両側壁部１１の上部および下部を連接する天部１２および底部１３を有する。両側壁部１１の後縁部の間は開口され、この開口が塵芥の投入口１５となる。投入口１５に後部扉１６が上下に開閉可能に設置される。後部扉１６は、図８（Ａ）の投入口１５を塞ぐ閉塞位置と、投入口１５から上方に移動して投入口１５を開口する図８（Ｂ）の解放位置との間で上下に開閉動作する。
【０００５】
後部扉１６の上部の左右両端に一対の上部揺動アーム１７の先端部が枢支され、後部扉１６の下部の左右両端に一対の下部揺動アーム１８の先端部が枢支される。上部揺動アーム１７と下部揺動アーム１８のそれぞれの後端部が、両側壁部１１に設けた支軸に枢支される。左右一対の上部揺動アーム１７のそれぞれに、上部揺動アーム１７を図８で反時計方向に附勢するばね部材１９が連接される。
【０００６】
後部扉１６の下端部と塵芥投入箱４の両側壁部１１の間に、後部扉１６を図８（Ａ）の閉塞位置と図８（Ｂ）の解放位置のそれぞれで自動ロックする左右一対の扉ロック装置２０が設置される。後部扉１６の下端部外面に左右一対の把手２１と、扉ロック装置２０の自動ロックを手動で解除する左右一対のロック解除レバー２２が配設される。図１０は、後部扉１６が閉塞位置にあるときの扉ロック装置２０を示す。扉ロック装置２０は、ロック解除レバー２２を手動で開操作してリンク２５を後退させ、リンク２５の先端のロックピン２３を塵芥投入箱側壁部１１の定箇所に設けたロック孔２４から抜くことでロック解除する。ロック解除レバー２２から手を離すと、ロックピン２３に装着した復帰ばね２６の附勢力でロックピン２３がロック孔２４に自動で嵌入してロック状態となる。
【０００７】
図９および図１０に示す閉塞位置にある後部扉１６を開ける場合、作業員が両手で左右一対の把手２１と一対のロック解除レバー２２を握り、復帰ばね２６の附勢力に抗してロックピン２３を後退させる。これにより、ロックピン２３とロック孔２４との係合が解除される（ロック解除）。この状態で作業員が両手で把手２１を少し押し上げて把手２１から手を離すと、ばね部材１９の附勢力で後部扉１６がそのまま上昇し、上部揺動アーム１７と下部揺動アーム１８が図８で反時計方向に揺動して後部扉１６が解放位置まで移動する。後部扉１６が解放位置まで移動すると、後部扉１６の下端部両端にある一対のロックピン２３が、塵芥投入箱４の両側壁部１１における略中間の高さ位置に形成したロック孔（図１０のロック孔２４と同様な孔）に復帰ばね２６の作用で嵌入する。これにより、後部扉１６が解放位置で自動ロックされる。
【０００８】
解放位置の後部扉１６を閉じる場合は、図８（Ｂ）の解放位置でロックされた後部扉１６の左右一対の把手２１とロック解除レバー２２を両手で握り、ロック解除した状態で把手２１を押し下げて後部扉１６を少し下げる。これにより、後部扉１６がその自重で下降しようとする力が、ばね部材１９の上向き附勢力に打ち勝って、後部扉１６が閉塞位置までゆっくりと下降する。後部扉１６が閉塞位置まで移動すると、図１０に示すように後部扉１６の下端部両端にある一対のロックピン２３が、両側壁部１１のロック孔２４に復帰ばね２６の作用で嵌入して、後部扉１６が閉塞位置で自動ロックされる。
【特許文献１】特開平１０−２９７０１号公報
【発明の開示】
【発明が解決しようとする課題】
【０００９】
上下開閉式後部扉１６は、閉塞位置と解放位置のそれぞれで、左右一対の扉ロック装置２０で安定にロックされる。しかし、後部扉１６を上下に開閉操作する場合、左右一対の扉ロック装置２０のロック解除をするためには、作業員は両手で左右一対の把手２１とロック解除レバー２２を握る操作をしなければならない。塵芥投入口は左右幅に加えて上下高さも大きいほど作業性がよいため、解放位置にある後部扉１６の高さ位置は通常かなり高くなっている。この後部扉１６を閉じる場合は、把手２１が高い位置にあることから、作業員は万歳をした姿勢で左右一対の把手２１に手を掛け、ロック解除レバー２２を握る必要がある。このような背伸びをして両手を使ったロック解除操作は不便であり、特に背の低い作業者や握力の弱い作業者にとっては操作が困難なことがあった。
【００１０】
本発明は、斯かる実情に鑑みてなされたもので、後部扉の開閉操作が容易な塵芥収集車の扉ロック装置を提供しようとするものである。
【課題を解決するための手段】
【００１１】
本発明は、車両後部の塵芥投入箱に設けた塵芥の投入口に、この投入口を塞ぐ閉塞位置と投入口から上方に移動して投入口を開口する解放位置との間で上下移動可能に後部扉を連接し、この後部扉と前記塵芥投入箱に、後部扉を上方に附勢するばね手段と、後部扉が閉塞位置および解放位置に移動すると互いに係合して後部扉を自動ロックする係合部材と被係合部材を有するロック手段を配備した塵芥収集車において、塵芥投入箱の側壁部に、ロック手段をその係合部材と被係合部材の互いの係合を解除するロック解除位置へ、後部扉と塵芥投入箱相互間に配備した連結機構を介して手動で駆動させるロック解除操作手段を配備したことを特徴とするものである。
【００１２】
ここで、車両後部の塵芥投入箱は、車両フレームに搭載した塵芥収容箱の後端開口部に上下に揺動可能に連接されたものが適用できる。この塵芥投入箱の後面下部に投入口が形成され、投入口に上下開閉式の後部扉が設置される。後部扉は、上部両端と下部両端の４箇所に連接した揺動アームにガイドされて上下に開閉するもの、或いは、上部両端に連接した揺動アームと下部両端に設置したガイドローラ（またはピン）にガイドされて上下に開閉するものが適用できる。このガイドローラを使用した後部扉においては、ガイドローラが塵芥投入箱の投入口両側辺に固定したガイドレールを転動することで、後部扉の下部両端をガイドする。塵芥投入箱の両側壁部の一方に、または、両方にロック解除操作手段を配備する。両側壁部にロック解除操作手段を配備した場合は、両方のロック解除操作手段が連動するように連結することができる。
【００１３】
ここでのロック解除操作手段は、作業員がワンタッチ式に片手操作でき、操作後は復帰ばねで自動復帰する操作レバーや操作ハンドルなどの機械部品が適用できる。このようなロック解除操作手段は構造簡単であり、係合部材と被係合部材から成るロック手段に容易にして連結できる。ロック解除操作手段を塵芥投入箱の側壁部に配備することで、解放位置まで上昇した後部扉を閉じる場合に、作業員は両手を解放位置の後部扉まで伸ばす必要がなく、側壁部のロック解除操作手段まで片手を伸ばしてロック解除操作すればいいので、後部扉の上下開閉時のロック解除操作作業が容易にして迅速に行えるようになる。また、後部扉に左右一対のロック手段を配備した場合、左右一対のロック手段のロック解除が共通のロック解除操作手段の片手操作で同時に行われるので、左右一対のロック手段の一方のロック解除が不十分になるといった不具合が発生しない。
【００１４】
また、本発明においては、塵芥投入箱側壁部の略中間の高さ位置にロック解除操作手段を配備することができる。
【００１５】
ここでの塵芥投入箱側壁部の略中間の高さ位置とは、塵芥収集車の後方で塵芥収集する作業者の手が容易に届く高さである。このような高さ位置にロック解除操作手段を配備することで、背の低い作業者であってもロック解除操作手段を容易に片手操作することができる。
【００１６】
また、本発明においては、塵芥投入箱に後部扉を閉塞位置と解放位置のそれぞれでロックするロック手段を、後部扉の両側端部にそれぞれに突出退入可能に配備した一対のロックピンと、塵芥投入箱の両側壁部にそれぞれに形成された一対のロック孔を有するものとし、ロック解除操作手段で一対のロックピンをロック解除動作させることができる。
【００１７】
このように後部扉の両側端部と塵芥投入箱の両側壁部に一対のロック手段を設けることで、閉塞位置と解放位置での後部扉のロック強度が安定する。また、一対のロック手段のロック動作とロック解除動作を共通のロック解除操作手段で手動操作することで、ロック解除の操作が簡便迅速に行える。
【００１８】
また、本発明においては、塵芥投入箱の投入口の両側辺に後部扉下端部の扉開閉時の上下移動をガイドするガイドレールを固定すると共に、後部扉の両側端部にそれぞれに突出退入可能に配備した一対のロックピンのそれぞれに、対応するガイドレールにガイドされて後部扉下端部の上下移動方向を規制するガイドローラを、各ロックピンと同軸に装着することができる。
【００１９】
このように一対のロック手段のロックピンと、後部扉の上下開閉動作をガイドするガイドローラを同軸に設けることで、後部扉の同一場所に機能の異なるロックピンとガイドローラを配置することができ、後部扉の構造簡略化が図れる。
【００２０】
また、本発明においては、塵芥投入箱に後部扉を閉塞位置と解放位置のそれぞれでロックするロック手段を、後部扉の両側端部にそれぞれに形成された一対のロック孔と、塵芥投入箱の両側壁部にそれぞれに突出退入可能に配備された一対のロックピンを有するものとし、ロック解除操作手段で一対のロックピンをロック解除動作させることができる。
【００２１】
この場合も、後部扉の両側端部と塵芥投入箱の両側壁部に一対のロック手段を設けることで、閉塞位置と解放位置での後部扉のロック強度が安定する。さらに、一対のロック手段のロック動作とロック解除動作を共通のロック解除操作手段で手動操作することで、ロック解除の操作が簡便迅速に行える。
【発明の効果】
【００２２】
本発明の扉ロック装置は、塵芥投入箱の側壁部に手動式のロック解除操作手段を配備したので、閉塞位置または解放位置のいずれに後部扉が在っても、後部扉の高さに関係なく作業員は容易に手の届く高さにあるロック解除操作手段を手で操作することができ、しかも、片手操作することが容易で、後部扉のロック解除と上下開閉の一連の操作が円滑にして迅速にできるという優れた効果を奏し得る。
【００２３】
また、後部扉の複数箇所に配備したロック手段を共通のロック解除操作手段の手動操作でロック解除することで、複数全てのロック手段を同時に確実にロック解除することが可能となり、一部のロック手段がロック解除不十分なまま後部扉を無理に開閉するといった不具合発生が低減できる。
【発明を実施するための最良の形態】
【００２４】
以下、本発明の実施の形態を図１〜図７を参照して説明する。
【００２５】
図１（Ａ）（Ｂ）に示される塵芥収集車は、図８の塵芥収集車に適用したもので、図８と同一部分または相当部分には同一符号を付して、詳細説明は省略する。図１の塵芥収集車は、車両フレーム１に搭載した塵芥収容箱３の後端開口部に、内部に塵芥積込装置（図示せず）を有する塵芥投入箱３０を枢軸５を支点に上下方向に揺動可能に連接する。塵芥投入箱３０の後面であって両側壁部３１の後縁下部間に、塵芥の投入口３５が形成される。この投入口３５に後部扉３６が上下に開閉可能に設置される。後部扉３６は、投入口３５を塞ぐ図２の閉塞位置と、投入口３５から上方に移動して投入口３５を開口する図３の解放位置との間を上下に開閉動作する。
【００２６】
後部扉３６の上部両端に、一対の揺動アーム３７の先端部が枢支される。この揺動アーム３７の後端部が、両側壁部２１の内側に固定した支軸３８に枢支される。揺動アーム３７には、図２で反時計方向に附勢するばね手段３９が連接される。ばね手段３９は、図８のばね部材１９に相当するもので、後述するように、ロック解除された後部扉３６の上向き開放移動を補助する。左右一対の揺動アーム３７に、カバー４１の両端部が固定される。このカバー４１の下縁は後部扉３６の上縁にヒンジ結合され、揺動アーム３７と一体に上下に揺動する。
【００２７】
後部扉３６の下部両端にガイドローラ４２が突設される。この左右一対のガイドローラ４２は、投入口３５の両側辺に沿って固定した左右一対の溝形ガイドレール４３に嵌挿される。後部扉３６の上下開閉動作時に、ガイドローラ４２がガイドレール４３に沿って転動する。図６にガイドレール４３の断面を示し、図７にガイドローラ４２を示す。後部扉３６が上下開閉する際、後部扉３６の上端部両端が揺動アーム３７にガイドされ、下端部両端がガイドレール４３にガイドされる。これにより、後部扉３６の上下開閉姿勢が安定する。後部扉３６の下端部外面に把手４４が突設される。
【００２８】
後部扉３６の下端部と塵芥投入箱側壁部３１に、後部扉３６が閉塞位置および解放位置に移動すると互いに係合して後部扉３６を側壁部３１に自動ロックする係合部材と被係合部材を有するロック手段５０が配備される。ロック手段５０は、塵芥投入箱３０の片側側壁部３１の外面所定の高さ位置に設置した手動式のロック解除操作手段６０に、連結機構７０を介して連結される。ロック手段５０とロック解除操作手段６０の具体例を、図４および図５に示す。
【００２９】
ロック手段５０は、後部扉３６の下部両端に突設した左右一対のロックピン５１の係合部材と、図７に示すように両側壁部３１に形成したピン孔５２の被係合部を有する。左右一対のロックピン５１のそれぞれは、復帰ばね５３を介して後部扉３６に固定の取付ブラケット５４に軸方向移動可能に支持される。
【００３０】
ロック解除操作手段６０は、この実施形態では、片側側壁部３１の略中間高さ位置に設置された一本の操作レバーである。操作レバー６０は、側壁部３１の外面で、地上に立つ作業員の手が容易に届く比較的低い高さ位置に斜め上向きに設置される。操作レバー６０はＬ形を成し、水平部が側壁部３１を回転可能に貫通する。この水平部の先端に図５の破線で示す揺動板６１が上向きに固定される。揺動板６１の先端と一対のロックピン５１が、連結機構７０で連結される。
【００３１】
連結機構７０は、後部扉３６の内側に沿わせた動力伝達ワイヤ７１と、後部扉３６の下端部に上下に回動可能に設置したＴ字金具７２と、Ｔ字金具７２と左右のロックピン５１を連結するワイヤ７３（ロッドに代替も可能）を有する。動力伝達ワイヤ７１の一端が揺動板６１に連結され、他端がＴ字金具７２に連結される。図５において、操作レバー６０を実線位置から鎖線位置へと手動で回動させると、揺動板６１が図５で時計方向に回転して動力伝達ワイヤ７１を引っ張り、動力伝達ワイヤ７１がＴ字金具７２を支軸７４を支点に時計方向に回転させる。この回転で左右のワイヤ７３が互いに接近する方向に移動して、左右一対のロックピン５１が後退する（ロック解除の動作）。操作レバー６０から手を離すと、左右一対のロックピン５１に作用する復帰ばね５３の附勢力で連結機構全体が元の状態に自動復帰する状態になり、後部扉３６が自動ロック可能な状態になる。
【００３２】
左右のロックピン５１には、図７に示すガイドローラ４２が同軸に装着される。この左右のガイドローラ４２が対応する左右のガイドレール４３を転動する。ガイドレール４３の上下２箇所の各々にロックピン５１が嵌入可能なピン孔５２を形成する。
【００３３】
次に、上記した実施の形態による後部扉３６の開閉動作を説明する。
【００３４】
図２に示す閉塞位置にある後部扉３６を開ける場合、作業員が片手で操作レバー６０を図２で時計方向に定角度回転操作する。このレバー操作により、閉塞位置にある後部扉３６の下部の左右両端にある一対のロックピン５１が同時に後退し、対応するピン孔５２から抜けて同時にロック解除される。このロック解除により、後部扉３６はばね手段３９の附勢力で自動的に上昇を始め、中間の高さ位置でばね手段３９の附勢力と後部扉３６の自重とがバランスして停止する。後部扉３６が一端上昇を開始すれば、作業員は操作レバー６０から手を離しても構わない。この際、後部扉３６のガイドローラ４２がガイドレール４３を転動して後部扉３６の下部両端の上昇方向をガイドし、揺動アーム３７が図２で反時計方向に揺動して後部扉３６の上部両端の上昇方向をガイドする。
【００３５】
前述のように、後部扉３６が閉塞位置と解放位置の中間の高さ位置まで上昇すると、ばね手段３９の附勢力と後部扉３６の自重が均衡して、半開きの位置で一時停止する。この状態で後部扉３６の把手４４を手で上へ軽く押すと、後部扉３６がばね手段３９の附勢力のみで解放位置へと上昇する。後部扉３６が図３に示す解放位置まで開くと、左右一対のロックピン５１が左右のガイドレール４３の上部に形成したピン孔に復帰ばね５３のばね力で嵌入し、後部扉３６が自動ロックされる。
【００３６】
解放位置の後部扉３６を閉じる場合も、作業員が片手で操作レバー６０を図２で時計方向に定角度回転操作する。このレバー操作により、解放位置にある後部扉３６の左右一対のロックピン５１が同時に後退し、対応するピン孔から抜けて同時にロック解除される。ロック解除されると、後部扉３６がばね手段３９の上向き附勢力に打ち勝ってその自重により下降を開始し、中間の高さ位置でばね手段３９の附勢力と後部扉３６の自重とがバランスして停止する。このように後部扉３６がある程度下降すると、作業員は把手４４に容易に手が届く。したがって、この状態から作業員が把手４４を手で持って後部扉３６を軽く押し下げると、後部扉３６が図２に示す閉塞位置まで下降して投入口３５を閉じる。これにより、左右一対のロックピン５１が左右のガイドレール４３の下部に形成したピン孔５２に復帰ばね５３のばね力で嵌入し、後部扉３６が自動ロックされる。
【００３７】
なお、本発明の塵芥収集車の扉ロック装置は、上記した実施の形態に限定されるものではない。例えば、ロック手段は、後部扉のいずれか一方または両側面に形成したピン孔と、塵芥投入箱のいずれか一方または両側壁部に突出退入可能に配備したロックピンにして、このロックピンを連結機構を介して側壁部に設置したロック解除操作手段の手動操作で駆動するようにしてもよい。なお、連結機構にＴ字金具を使用せずに左右のロックピンと操作部材とを２本のワイヤで直接連結してロックピンを退入操作することも可能である。
また、本発明は、前記実施形態のように後部扉が中折れ可能な２枚構成（後部扉３６とカバー４１）で左右２本アームで支持されたものの他、図８に示すような後部扉が１枚構成で左右４本アームで支持されたものにも同様に適用可能である。さらに、前記実施形態ではロック解除操作手段として操作レバーを用いたが、操作レバーに代えて、ハンドル式ロック解除操作部材や、図１０のロック解除レバー２２のようなグリップ式ロック解除操作部材など、任意の操作部材を用いてよい。
【図面の簡単な説明】
【００３８】
【図１】（Ａ）は本発明に係る塵芥収集車の実施の形態を示す車両後部の側面図、（Ｂ）は後面図である。
【図２】図１の塵芥収集車における塵芥投入箱の部分断面を含む部分拡大側面図である。
【図３】図２の塵芥投入箱の後部扉解放時の側面図である。
【図４】図２の塵芥投入箱の左半分の後面図である。
【図５】図２の塵芥投入箱に設置した扉ロック装置の概要を示す組立図である。
【図６】図４の後部扉と塵芥投入箱の部分拡大断面図である。
【図７】図４の一部省略部分を含む部分拡大図である。
【図８】（Ａ）は従来の塵芥収集車の車両後部の一部省略部分を含む側面図、（Ｂ）は後部扉解放時の側面図である。
【図９】図８の塵芥収集車における塵芥投入箱の後面図である。
【図１０】図９の後部扉の下端部に設置したロック装置を説明するための平面図である。
【符号の説明】
【００３９】
１   車両フレーム
３   塵芥収容箱
３０   塵芥投入箱
３１   側壁部
３５   投入口
３６   後部扉
３７   揺動アーム
３８   支軸
３９   ばね手段
４１   カバー
４２   ガイドローラ
４３   ガイドレール
４４   把手
５０   ロック手段
５１   ロックピン
５２   ピン孔
５４   取付ブラケット
６０   操作レバー（ロック解除操作手段）
６１   揺動板
７０   連結機構
７１   動力伝達ワイヤ
７２   Ｔ字金具
７３   ロッド
７４   支軸
【図１】
2006206306.tif 000003
【図２】
2006206306.tif 000004
【図３】
2006206306.tif 000005
【図４】
2006206306.tif 000006
【図５】
2006206306.tif 000007
【図６】
2006206306.tif 000008
【図７】
2006206306.tif 000009
【図８】
2006206306.tif 000010
【図９】
2006206306.tif 000011
【図１０】
2006206306.tif 000012